(57)【要約】【課題】解除ボタンの操作性を確保しつつ、ユーザによる解除操作時のロックプレートとタングプレートとの解離性を良好にできるバックル装置を得る。【解決手段】バックル装置１０では、ロックプレート４０は、係合片５０の先端部における係合孔２６Ａの孔縁部との当接面が、係合片５０の厚さ方向に対して傾斜した傾斜面５０Ａとされているため、傾斜面５０Ａが係合孔２６Ａの孔縁部に当接した際には、係合片５０に作用するイジェクタスプリング３８の付勢力Ｆのうちタングプレート２４から離間する方向へ向いた分力Ｆ１が増加するので、ロックプレート４０とタングプレート２４と解離性が良好になる。しかも、傾斜面５０Ａは係合片５０の先端部のみに形成されているため、傾斜面５０Ａと係合孔２６Ａの孔縁部とが当接するまでは、ロックプレート４０の回転力を小さく設定できる。これにより、解除ボタン７０の操作性を良好に確保できる。【選択図】図１
2007151677.tif 000002
【特許請求の範囲】
【請求項１】
板状に形成されて基端側が装置本体に回転可能に支持されると共に、先端側が屈曲されて係合片が形成され、前記装置本体内にタングプレートが挿入された際には前記タングプレートに接近することで前記係合片が前記タングプレートに形成された係合孔に嵌入すると共に、前記装置本体に設けられた解除ボタンが押圧操作された際には前記タングプレートの前記係合孔の孔縁部を介して前記係合片に作用するイジェクタスプリングの付勢力によって前記タングプレートから離間するロックプレートを備えたバックル装置において、
前記ロックプレートは、前記係合片の先端部における前記係合孔の孔縁部との当接面が、前記係合片の厚さ方向に対して傾斜した傾斜面とされている、
ことを特徴とするバックル装置。
【請求項２】
前記傾斜面の傾斜角度は、６０度乃至７０度に設定されている、ことを特徴とする請求項１記載のバックル装置。
【発明の詳細な説明】
【技術分野】
【０００１】
本発明は、車両のシートベルト装置を構成し、ウエビングに取り付けられたタングプレートを保持するためのバックル装置に関する。
【背景技術】
【０００２】
バックル装置としては、例えば、装置本体内に挿入されたタングプレートに接近して係合することによりタングプレートを装置本体に保持するラッチ（ロックプレート）と、上記係合状態におけるロックプレートに係合してロックプレートのタングプレートからの離間を阻止するロックピンと、を備えたものがある（例えば、特許文献１参照）。
【０００３】
このようなバックル装置では、ロックプレートは、長尺な板状に形成されており、基端側が装置本体に回転可能に支持されると共に、先端側が略直角に屈曲されて係合片が形成されている。このロックプレートは、タングプレートが装置本体内に挿入された際には、タングプレート側へ回転することで上記係合片がタングプレートに形成された係合孔に嵌入してタングプレートの装置本体からの抜出しを規制する。
【０００４】
また、ロックピンは、装置本体に所定範囲移動可能に支持されており、ロックプレートの係合片がタングプレートの係合孔に嵌入した状態で、ロックプレートに係合するロック位置へ移動し、ロックプレートのタングプレートからの離間を規制する。これにより、タングプレートのバックル装置に対する装着状態となる。
【０００５】
一方、上記装着状態において、装置本体に取り付けられた解除ボタンが押圧操作されると、ロックピンが上記ロック位置からアンロック位置へ移動することで、ロックピンによるロックプレートの移動規制が解除される。そして、タングプレートに作用するイジェクタスプリングの付勢力がタングプレートの係合孔の孔縁部を介してロックプレートの係合片に伝達されることで、係合片にタングプレートから離間する方向の分力が作用し、この分力によってロックプレートが回転する。これにより、ロックプレートによるタングプレートの保持が解除され、タングプレートは、イジェクタスプリングの付勢力によって装置本体から排出される。
【０００６】
ところで、上記構成のバックル装置では、ロックプレートの回転力は、ロックプレートとロックピンとの係合部分に作用するため、ロックピンを移動させる解除ボタンの操作性を考慮すると、ロックプレートの回転力は小さい方が好ましい。しかしながら、ロックプレートの回転力を小さく設定した場合には、ユーザによる解除操作時に、ロックプレートの係合片の先端部がタングプレートの係合孔の孔縁部にわずかに引っ掛かることがあるので、解離性の更なるスムーズさが求められていた。
【特許文献１】特開平５−２７８５６４号公報
【発明の開示】
【発明が解決しようとする課題】
【０００７】
本発明は上記事実を考慮し、解除ボタンの操作性を確保しつつ、ユーザによる解除操作時のロックプレートとタングプレートとの解離性を良好にできるバックル装置を得ることを目的とする。
【課題を解決するための手段】
【０００８】
上記課題を解決するために、請求項１に係る発明のバックル装置は、板状に形成されて基端側が装置本体に回転可能に支持されると共に、先端側が屈曲されて係合片が形成され、前記装置本体内にタングプレートが挿入された際には前記タングプレートに接近することで前記係合片が前記タングプレートに形成された係合孔に嵌入すると共に、前記装置本体に設けられた解除ボタンが押圧操作された際には前記タングプレートの前記係合孔の孔縁部を介して前記係合片に作用するイジェクタスプリングの付勢力によって前記タングプレートから離間するロックプレートを備えたバックル装置において、前記ロックプレートは、前記係合片の先端部における前記係合孔の孔縁部との当接面が、前記係合片の厚さ方向に対して傾斜した傾斜面とされている、ことを特徴としている。
【０００９】
請求項２に係る発明のバックル装置は、請求項１記載のバックル装置において、前記傾斜面の傾斜角度は、６０度乃至７０度に設定されている、ことを特徴としている。
【００１０】
本発明に係るバックル装置では、装置本体内にタングプレートが挿入されると、ロックプレートがタングプレートへ接近し、ロックプレートの先端側に屈曲形成された係合片が、タングプレートに形成された係合孔に嵌入する。
【００１１】
また、装置本体に設けられた解除ボタンが押圧操作されると、タングプレートの係合孔の孔縁部を介して係合片に作用するイジェクタスプリングの付勢力によって、ロックプレートがタングプレートから離間する。
【００１２】
ここで、ロックプレートは、係合片の先端部における係合孔の孔縁部との当接面が、係合片の厚さ方向に対して傾斜した傾斜面とされている。このため、この傾斜面が係合孔の孔縁部に当接した際には、係合片に作用するイジェクタスプリングの付勢力のうちタングプレートから離間する方向へ向いた分力が増加する。このように、イジェクタスプリングの付勢力をロックプレートの回転に有効に利用できるので、ユーザによる解除操作時のロックプレートとタングプレートとの解離性を良好にできる。
【００１３】
しかも、傾斜面は係合片の先端部に形成されているため、傾斜面と係合孔の孔縁部とが当接するまで（解除ボタンが押圧操作されてからロックプレートがある程度回転するまで）は、ロックプレートの回転力を小さく設定できる。これにより、解除ボタンの操作性を確保できる。なお、傾斜面の傾斜角度は、６０度乃至７０度に設定することが好ましい。
【発明の効果】
【００１４】
以上説明した如く、本発明に係るバックル装置では、解除ボタンの操作性を確保しつつ、ユーザによる解除操作時のロックプレートとタングプレートとの解離性を良好にできる。
【発明を実施するための最良の形態】
【００１５】
図４には、本発明の実施の形態に係るバックル装置１０の構成が分解斜視図にて示されている。また、図３には、このバックル装置１０の構成が断面図にて示されている。
【００１６】
図３に示されるように、バックル装置１０は、ケース１２を備えている。ケース１２は、長手方向両端が開口した箱形の筒状に形成されており、その長手方向一端側の開口はタング挿入口１４とされ、長手方向他端側の開口はアンカ挿入口１６とされている。また、ケース１２の内側にはバックルボデー１８が収容されている。
【００１７】
バックルボデー１８は、ケース１２の長手方向に沿って長尺な平板状に形成された底板部２０と、底板部２０の幅方向両端から底板部２０の板厚方向一側（矢印Ｃ方向側）へ向けて一体的に延出された一対の側壁部２２とを有しており、全体として断面コ字状に形成されている。このバックルボデー１８には、ケース１２のタング挿入口１４から挿入されたタングプレート２４の挿入板部２６が、底板部２０の長手方向一端側（矢印Ｂ方向側）から一対の側壁部２２間に挿入されるようになっている。
【００１８】
また、底板部２０の長手方向他端側（矢印Ａ方向側）には、ケース１２のアンカ挿入口１６から挿入されたアンカプレート２８の先端部が重ね合わされており、底板部２０とアンカプレート２８とを貫通するリベット３０によって両者が連結固定されている。アンカプレート２８の基端側は、車両の座席の側方で車体（いずれも図示省略）に固定されており、これにより、本バックル装置１０が車両に取り付けられている。
【００１９】
さらに、一対の側壁部２２の間にはイジェクタ３２が配置されている。イジェクタ３２の一部は底板部２０に形成された略矩形の貫通孔３４に係合している。貫通孔３４は、底板部２０の長手方向に沿って長尺に形成されており、イジェクタ３２は貫通孔３４に沿って底板部２０の長手方向に所定範囲スライド可能とされている。
【００２０】
また、貫通孔３４の長手方向一端側（矢印Ａ方向側）の内周部には、係合突起３６が突出形成されており、圧縮コイルスプリングであるイジェクタスプリング３８の一端が係止されている。イジェクタスプリング３８の他端はイジェクタ３２に係止されており、イジェクタ３２はイジェクタスプリング３８の付勢力によって底板部２０の長手方向一端側（矢印Ｂ方向側）へ付勢されている。
【００２１】
このイジェクタ３２は、一対の側壁部２２間に挿入されるタングプレート２４の挿入板部２６に押圧されることで、イジェクタスプリング３８の付勢力に抗して底板部２０の長手方向他端側へスライドされるようになっている（図２図示状態）。
【００２２】
一方、本バックル装置１０は、ロックプレート４０を備えている。ロックプレート４０は、底板部２０の長手方向に沿って長尺な板状に形成された本体部４２を備えている。本体部４２の基端（矢印Ａ方向側の端部）には、幅方向両側へ突出する一対の支持部４４が形成されている。一対の支持部４４は、バックルボデー１８の各側壁部２２に形成された支持孔４６に入り込んでおり、ロックプレート４０は一対の側壁部２２によって一対の支持部４４（支持孔４６）周りに所定角度回転可能に支持されている（ロックプレート４０は、一対の支持部４４を回転中心として回転する）。
【００２３】
また、本体部４２の基端側には、幅方向両端から底板部２０側（矢印Ｄ方向側）へ向けて一対の腕部４８が延出されている。一対の腕部４８は、各先端側がイジェクタ３２のスライド軌跡上に位置するように形成されており、イジェクタ３２が底板部２０の長手方向他端側（矢印Ａ方向側）へスライドすると、イジェクタ３２によって一対の腕部４８が底板部２０の長手方向他端側へ押圧され、本体部４２（ロックプレート４０）が底板部２０側（矢印Ｄ方向側）へ回転するようになっている。
【００２４】
本体部４２の先端（矢印Ｂ方向側の端部）からは、本体部４２の板厚方向片側（底板部２０側、矢印Ｄ方向側）へ向けて係合片５０が延出されている。係合片５０は、底板部２０の長手方向一端側（矢印Ｂ方向側、タングプレート２４のバックルボデー１８からの排出方向側）へ向けて僅かに傾斜して形成されている（係合片５０は、本体部４２に対する傾斜角度が９０度未満に設定されている）。
【００２５】
この係合片５０は、底板部２０に形成された貫通孔３４に対応しており、ロックプレート４０が底板部２０側へ回転することにより、係合片５０が貫通孔３４及び一対の側壁部２２間に挿入された挿入板部２６の係合孔２６Ａに嵌入してタングプレート２４の抜き出しを規制する（タングプレート２４を保持する）ようになっている（図２参照）。
【００２６】
ここで、図１に示す如く、係合片５０は、先端部（矢印Ｄ方向側の端部）の厚さ方向一側（矢印Ａ方向側）の面（タングプレート２４の係合孔２６Ａとの当接面）が、係合片５０の厚さ方向に対して傾斜した傾斜面５０Ａとされている（係合片５０の先端部に面取りが施されている）。なお、傾斜面５０Ａの傾斜角度θは、係合片５０の厚さ方向に対して６０度乃至７０度に設定することが好ましい。
【００２７】
ロックプレート４０の係合片５０に対応して上述したイジェクタ３２の厚さ方向一側（矢印Ｃ方向側）の面には、載置部３２Ａが形成されている。この載置部３２Ａは、一対の側壁部２２間にタングプレート２４が挿入されていない状態、すなわち、イジェクタ３２がイジェクタスプリング３８の付勢力によって貫通孔３４の長手方向他端側（矢印Ｂ方向側）に保持されている状態では、係合片５０の先端に干渉してロックプレート４０の底板部２０側への回転を規制するようになっている（図３参照）。
【００２８】
さらに、ロックプレート４０の本体部４２の先端からは、係合片５０の幅方向両側において、一対の当接片５２が底板部２０の長手方向一端側（矢印Ｂ方向側）へ向けて延設されている。これら一対の当接片５２は、ロック部材５４に対応している。
【００２９】
ロック部材５４は、ロックプレート４０の一対の当接片５２を介して底板部２０とは反対側に配置されており、一対の側壁部２２の対向方向に沿って長手方向とされた略三角柱状のカム部５６と、カム部５６の上端部（矢印Ｃ方向側の端部）をその長手方向に沿って貫通するシャフト５８とを備えている。
【００３０】
シャフト５８の軸線方向両端部は、一対の側壁部２２に形成された係合孔６０に入り込んでおり、カム部５６はシャフト５８の軸線周りに回転可能に一対の側壁部２２に支持されている。
【００３１】
カム部５６の上端側（底板部２０とは反対側、矢印Ｃ方向側）には、略板状の被押圧部６２が底板部２０とは反対側（矢印Ｃ方向側）へ向けて一体的に突出形成されている。この被押圧部６２は、後述する解除ボタン７０に対応している。
【００３２】
また、カム部５６の下端側（底板部２０側、矢印Ｄ方向側）には、シャフト５８と同心の円弧状に形成されたロック面５６Ａが形成されている。このロック面５６Ａは、図２に示す如く、ロックプレート４０が底板部２０側へ回転した状態（タングプレート２４の挿入板部２６が一対の側壁部２２間に挿入された状態）では、ロックプレート４０の当接片５２の表面（矢印Ｃ方向側の面）に当接するようになっている。
【００３３】
さらに、カム部５６の厚さ方向一端側（矢印Ａ方向側）には、当接面５６Ｂが形成されている。この当接面５６Ｂは、図３に示す如く、ロックプレート４０が底板部２０から離間した状態（タングプレート２４の挿入板部２６が一対の側壁部２２間から抜け出した状態）では、ロックプレート４０の当接片５２の先端に当接するようになっている。
【００３４】
また、カム部５６の厚さ方向他端側（矢印Ｂ方向側）には、ホルダ６４が取り付けられている。ホルダ６４にはカム部５６と反対側へ向けて係止突起６６が突出形成されており、圧縮コイルスプリングであるロックスプリング６８の一端が係止されている。ロックスプリング６８の他端は、バックルボデー１８の長手方向一端側（矢印Ｂ方向側）に設けられた解除ボタン７０に対応している。
解除ボタン７０は、乗員によって押圧操作される操作部７２を有している。操作部７２は、バックルボデー１８の長手方向他端側（矢印Ａ方向側）へ向けて開口した箱状に形成されており、内側の底壁部分にロックスプリング６８の他端が圧接されている。これにより、ホルダ６４及びロック部材５４が操作部７２から離間する方向（矢印Ａ方向）へ付勢されている。
操作部７２の幅方向両端からは、底板部２０の長手方向他端側（矢印Ａ方向）へ向けて一対のアーム部７４が延出されている。一対のアーム部７４の各先端には、それぞれ底板部２０側（矢印Ｄ方向側）へ向けて延出された延出部７６が設けられている。一対の延出部７６の各先端には、それぞれ各側壁部２２側（内側）へ向けて突出する爪部７８が形成されており、これらの爪部７８は、一対の側壁部２２にそれぞれ形成された長孔８０に嵌入している。長孔８０は、タングプレート２４の挿入方向（矢印Ａ方向）に沿って長尺に形成されており、各爪部７８は長孔８０の内周部によって底板部２０の長手方向に沿って所定範囲移動可能とされている。これにより、長孔８０によって解除ボタン７０の移動方向（操作方向）が底板部２０の長手方向に規制されている。
【００３５】
また、一対のアーム部７４の各先端には、これらの対向方向に沿って長尺な略棒状に形成された連結部８２が掛け渡されており、この連結部８２によって一対のアーム部７４の各先端が連結されている。
【００３６】
さらに、解除ボタン７０には、操作部７２の上端側（矢印Ｃ方向側）において、底板部２０の長手方向他端側（矢印Ａ方向側）へ向けて突出する押圧部８４が形成されている。押圧部８４は、前述したロック部材５４の被押圧部６２に対向して配置されており、解除ボタン７０が押圧操作された際には、押圧部８４によって被押圧部６２が底板部２０の長手方向他端側（矢印Ａ方向側）へ押圧され、ロック部材５４のカム部５６がシャフト５８周りに底板部２０の長手方向一端側（矢印Ｂ方向側）へ回転するようになっている。
【００３７】
次に、本実施の形態の作用を説明する。
【００３８】
上記構成のバックル装置１０では、図３に示される非装着状態でタングプレート２４の挿入板部２６がケース１２のタング挿入口１４から挿入されると、図２に示されるように、挿入板部２６の先端がイジェクタ３２の端部に当接して押圧し、イジェクタスプリング３８の付勢力に抗してイジェクタ３２を貫通孔３４の長手方向一端側（矢印Ａ方向側）へスライドさせる。
【００３９】
イジェクタ３２が貫通孔３４の長手方向一端側へ所定量スライドすると、イジェクタ３２の載置部３２Ａとロックプレート４０の係合片５０との対向状態が解除されると共に、イジェクタ３２がロックプレート４０の一対の腕部４８を押圧して、ロックプレート４０を底板部２０側へ回転させる。
【００４０】
これにより、係合片５０の先端部が底板部２０へ接近移動する。また、この状態では、挿入板部２６の係合孔２６Ａと、底板部２０に形成された貫通孔３４とが重なり合う。したがって、この状態では図２に示されるように、回転した係合片５０が挿入板部２６の係合孔２６Ａと底板部２０の貫通孔３４とに嵌入する。
【００４１】
また、ロックプレート４０が回転することで、ロックプレート４０の当接片５２とロック部材５４の当接面５６Ｂとの当接状態が解除される。ここで、ロック部材５４はホルダ６４を介してロックスプリング６８の付勢力を受けているため、ロックプレート４０の回転に連動するようにロックスプリング６８の付勢力でロック部材５４のカム部５６が底板部２０の長手方向他端側（矢印Ａ方向側）へ回転し、カム部５６のロック面５６Ａが当接片５２の表面（矢印Ｃ方向側の面）に当接する（図２図示状態）。このため、係合片５０が底板部２０から離間する方向へのロックプレート４０の回転が規制され、これにより、バックル装置１０に対するタングプレート２４の装着状態（保持状態）となる。
【００４２】
一方、上記タングプレート２４の装着状態で、解除ボタン７０の操作部７２が押圧操作されると、ロック部材５４の被押圧部６２が解除ボタン７０の押圧部７２によって底板部２０の長手方向他端側（矢印Ａ方向側）へ押圧され、ロック部材５４のカム部５６が、ロックスプリング６８の付勢力に抗して底板部２０の長手方向一端側（矢印Ｂ方向側）へ回転される。
【００４３】
このため、カム部５６のロック面５６Ａとロックプレート４０の当接片５２との当接状態が解除され、ロック部材５４によるロックプレート４０の回転規制が解除される。しかも、ロックプレート４０の係合片５０には、タングプレート２４の挿入板部２６（係合孔２６Ａの孔縁部）及びイジェクタ３２を介してイジェクタスプリング３８の付勢力が作用しており、当該係合片５０は、底板部２０の長手方向一端側（矢印Ｂ方向側、タングプレート２４のバックルボデー１８からの排出方向側）へ向けて僅かに傾斜しているため、係合片５０には底板部２０から離間する方向の分力が作用する。このため、ロックプレート４０は係合片５０に作用する分力によって底板部２０から離間され、係合片５０によるタングプレート４０の保持が解除される。これにより、イジェクタスプリング３８の付勢力によってイジェクタ３２が貫通孔３４の長手方向他端側（矢印Ｂ方向側）へスライドされると共に、当該イジェクタ３２のスライドによってタングプレート４０の挿入板部２６がケース１２のタング挿入口１４から排出される。
【００４４】
ここで、本実施の形態に係るバックル装置１０では、ロックプレート４０は、係合片５０の先端部（矢印Ｄ方向側の端部）における係合孔２６Ａの孔縁部との当接面（矢印Ａ方向側の面）が、係合片５０の厚さ方向に対して傾斜した傾斜面５０Ａとされている。このため、図１に示す如く、傾斜面５０Ａが係合孔２６Ａの孔縁部に当接した際には、係合片５０に作用するイジェクタスプリング３８の付勢力Ｆのうちタングプレート２４から離間する方向（矢印Ｃ方向）へ向いた分力Ｆ１が増加する。
【００４５】
換言すれば、傾斜面５０Ａが係合孔２６Ａの孔縁部に当接した際には、ロックプレート４０のモーメントアームの長さ寸法Ｌが大きくなり、ロックプレート４０の回転力が大きくなる。このように、イジェクタスプリング３８の付勢力Ｆをロックプレート４０の回転に有効に利用できるので、ユーザによる解除操作時のロックプレート４０とタングプレート２４と解離性が良好になり、タングプレート２４の排出性が向上する。
【００４６】
しかも、傾斜面５０Ａは係合片５０の先端部のみに形成されているため、傾斜面５０Ａと係合孔２６Ａの孔縁部とが当接するまで（解除ボタン７０が押圧操作されてからロックプレート４０がある程度回転するまで）は、ロックプレート４０の回転力を小さく設定できる。これにより、解除ボタン７０の操作性を良好に確保できる。
【００４７】
以上説明した如く、本発明の実施の形態に係るバックル装置１０では、解除ボタン７０の操作性を確保しつつ、ユーザによる解除操作時のロックプレート４０とタングプレート２４との解離性を良好にできる。
【図面の簡単な説明】
【００４８】
【図１】本発明の実施の形態に係るバックル装置のロックプレート、イジェクタ、及びイジェクタスプリングと、タングプレートの構成を示す側面図である。
【図２】本発明の実施の形態に係るバックル装置の全体構成を示す断面図である。
【図３】本発明の実施の形態に係るバックル装置の全体構成を示す断面図である。
【図４】本発明の実施の形態に係るバックル装置の全体構成を示す分解斜視図である。
【符号の説明】
【００４９】
１０      バックル装置
１８      バックルボデー（装置本体）
２４      タングプレート
２６Ａ    係合孔
３８      イジェクタスプリング
４０      ロックプレート
５０      係合片
５０Ａ    傾斜面
７０      解除ボタン
【図１】
2007151677.tif 000003
【図２】
2007151677.tif 000004
【図３】
2007151677.tif 000005
【図４】
2007151677.tif 000006